【手続補正書】
【提出日】平成20年1月28日(2008.1.28)
【手続補正１】
【補正対象書類名】明細書
【補正対象項目名】特許請求の範囲
【補正方法】変更
【補正の内容】
【特許請求の範囲】
【請求項１】  高重合度のポリエチレングリコールを含有することを特徴とする、毛髪用の化粧料。
【請求項２】  高重合度のポリエチレングリコールの平均分子量が４０００００〜１０００００００であることを特徴とする、請求項１に記載の毛髪用の化粧料。
【請求項３】  高重合度のポリエチレングリコールの含有量が、化粧料全量に対し０．００１〜１重量％であることを特徴とする、請求項１又は２に記載の化粧料。
【請求項４】  更に、ワックスを含有することを特徴とする、請求項１〜３何れか１項に記載の化粧料。
【請求項５】  ワックスの含有量が化粧料全量に対し２〜１０重量％であることを特徴とする、請求項４に記載の化粧料。
【請求項６】  ワックスが、脂肪族飽和高級アルコール、キャンデリラワックス及びマイクロクリスタリンワックスから選ばれる１種乃至は２種以上である、請求項４又は５に記載の化粧料。
【請求項７】  非イオン界面活性剤の含有量が化粧料全量に対し２重量％以下であることを特徴とする、請求項１〜６何れか１項に記載の化粧料。
【請求項８】  化粧料を構成する、非イオン界面活性剤のＨ．Ｌ．Ｂ．（親水性親油性バランス）が７以上であることを特徴とする、請求項１〜７何れか１項に記載の化粧料。
【手続補正２】
【補正対象書類名】明細書
【補正対象項目名】０００２
【補正方法】変更
【補正の内容】
【０００２】
【従来の技術】
毛髪用のワックス等の化粧料は、通常ワックスと親油性の非イオン界面活性剤を５重量％以上という高濃度含有させて、乳化させ、これを塗布時に毛髪上に析出させ、析出したワックス被膜により、整髪性と艶とを発現させる製剤である。ここで、非イオン界面活性剤を大量に用いるのは、好ましいワックス被膜を毛髪上に形成するワックス類が往々にして乳化しにくい為である。しかしながら、大量の非イオン界面活性剤とワックスとが形成するコンプレックスは、べたつきなどの感触が好ましくない場合が少なくなく、しかも生体上に塗布されるとその除去は容易でなく、いつまでも洗髪後の髪の毛にべたつき感が残ったり、手にぬるぬる感が残ったりする場合があり、この様な使用感の改善が望まれてい
た。
【手続補正３】
【補正対象書類名】明細書
【補正対象項目名】０００５
【補正方法】変更
【補正の内容】
【０００５】
【課題の解決手段】
この様な状況に鑑みて、本発明者らは、使用後にべたつき感やぬるぬる感の残らない、毛髪用ワックスなどの毛髪用の化粧料を求めて、鋭意研究努力を重ねた結果、高重合度のポリエチレングリコールを毛髪用の化粧料に含有させることにより、その様な化粧料の剤形化が可能であることを見出し、発明を完成させるに至った。即ち、本発明は、以下に示す技術に関するものである。
（１）高重合度のポリエチレングリコールを含有することを特徴とする、毛髪用の化粧料。
（２）高重合度のポリエチレングリコールの平均分子量が４０００００〜１０００００００であることを特徴とする、（１）に記載の毛髪用の化粧料。
（３）高重合度のポリエチレングリコールの含有量が、化粧料全量に対し０．００１〜１重量％であることを特徴とする、（１）又は（２）に記載の化粧料。
（４）更に、ワックスを含有することを特徴とする、（１）〜（３）何れか１項に記載の化粧料。
（５）ワックスの含有量が化粧料全量に対し２〜１０重量％であることを特徴とする、（４）に記載の化粧料。
（６）ワックスが、脂肪族飽和高級アルコール、キャンデリラワックス及びマイクロクリスタリンワックスから選ばれる１種乃至は２種以上である、（４）又は（５）何れか１項に記載の化粧料。
（７）非イオン界面活性剤の含有量が化粧料全量に対し２重量％以下であることを特徴とする、（１）〜（６）何れか１項に記載の化粧料。
（８）化粧料を構成する、非イオン界面活性剤のＨ．Ｌ．Ｂ．（親水性親油性バランス）が７以上であることを特徴とする、（１）〜（７）何れか１項に記載の化粧料。
以下、本発明について、実施の形態を中心に更に詳細に説明を加える。
【手続補正４】
【補正対象書類名】明細書
【補正対象項目名】０００８
【補正方法】変更
【補正の内容】
【０００８】
（３）本発明の化粧料
本発明の化粧料は、上記の成分を含有し、毛髪用のものであることを特徴とする。毛髪用の化粧料としては、ヘアローション、ヘアクリーム、ヘアワックス、シャンプー、リンスなど何れにも適用可能であるが、使用後形成する被膜特性からヘアワックスに適用するのが特に好ましい。本発明の化粧料に於いては、これら必須成分以外に通常化粧料で使用される任意成分を、本発明の効果を損なわない範囲に於いて、含有することができる。この様な任意成分としては、例えば、スクワランや流動パラフィンなどの液体の炭化水素類、ジメチコンやフェメチコンなどのシリコーン類、ホホバ油やネオペンチルグリコールジイソオクタネートなどのエステル類、ステアリン酸やオレイン酸などの脂肪酸類オレイルアルコールなどの脂肪族不飽和高級アルコール類、グリセリルトリイソオクタネートやオリーブオイル等のトリグリセライド類、ステアリン酸モノグリセリド、ソルビタンセスキオレート、ポリオキシエチレンソルビタンモノオレート、ポリオキシエチレンステアレート、ポリオキシエチレンセチルエーテル等の非イオン界面活性剤、脂肪酸石鹸、プロピレ
ングリコール、１，３−ブタンジオール、イソプレングリコール、１，２−ペンタンジオールなどの多価アルコール、結晶セルロース等の粉体類、キサンタンガムやヒドロキシプロピルセルロースなどの増粘剤、ビタミンやグリチルリチンなどの有効成分などが好ましく例示できる。これらの成分の内、本発明の化粧料の構成に好ましい態様は、非イオン界面活性剤の量を低く抑えること、具体的には２重量％以下、更に好ましくは１．５重量％以下にすることであり、加えて、使用する非イオン界面活性剤も、Ｈ．Ｌ．Ｂ．の低いものの使用量を低くし、系全体のＨ．Ｌ．Ｂ．を７以上に調整することである。好ましくは、使用する非イオン界面活性剤のＨ．Ｌ．Ｂ．を７以上のものだけで構成することである。この時、少なくともＨ．Ｌ．Ｂ．７．５〜９の非イオン界面活性剤を使用することが、ワックスの乳化・分散安定性を確保する上で好ましい。この様な非イオン界面活性剤としては、ポリオキシエチレンの付加モル数が２乃至は３のアルキルエーテル型の界面活性剤が例示でき、ポリオキシエチレン（２）セチルエーテルが特に好ましい。又、乳化に必要な親水性界面活性剤としては、脂肪酸石鹸、硫酸系のアニオン界面活性剤、親水性非イオン界面活性剤などが何れも使用可能であるが、脂肪酸石鹸を用いるのが好ましい。脂肪酸石鹸の塩基としては、カリウム、ナトリウム、トリエタノールアミン或いはアルギニンなどが好ましく例示できる。この様な石鹸に於いて、ワックスの乳化・分散の安定性が高まるからである。これらの成分を常法に従って処理することにより、本発明の毛髪用の化粧料は製造できる。かくして得られた本発明の毛髪用の化粧料は、優れた艶と整髪特性を有すると同時に、べたつき感やぬるぬる感などの使用後、除去した後に残る不快感が著しく少ない。
【手続補正５】
【補正対象書類名】明細書
【補正対象項目名】００１０
【補正方法】変更
【補正の内容】
【００１０】
＜実施例１＞
下記に示す処方に従って、本発明の毛髪用の化粧料である、ヘアワックスを作製した。即ち、イ、ロの成分をそれぞれ８０℃に加熱し、イに徐々にロを加え、乳化し、攪拌冷却してヘアワックスを得た。尚ポリオキシエチレン（２）セチルエーテルのＨＬＢは８．０である。
イ
セタノール                                  ２．５重量部
ポリオキシエチレン（２）セチルエーテル      １    重量部
キャンデリラワックス                        ２    重量部
ステアリン酸                                ６．５重量部
マイクロクリスタリンワックス                ２    重量部
流動パラフィン                            １５    重量部
ジメチコン（１０センチストークス）          ３    重量部
ペンタエリスリトールテトライソオクタネート  １    重量部
フェノキシエタノール                        ０．２重量部
ロ
メチルパラベン                              ０．２重量部
トリエタノールアミン                        １    重量部
プロピレングリコール                        ３    重量部
ポリオックスＷＳＲ−Ｎ３０００＊          ０．０４重量部
コラーゲン加水分解物                        ０．１重量部
水                                      ６２．４６重量部
注＊：ポリエチレングリコール（平均分子量４０００００；ユニオンカーバイド社製）